(57)【特許請求の範囲】
【請求項１】
熱交換する媒体のためのプレート間流路の形成の下でプレート（１１０）間に互いに間隔を維持するために配置される隆起（Ｒ）および溝（Ｇ）の押圧パターンを備える多数のプレート（１１０）を含み、前記プレート間流路は、当該プレート間流路と選択的に連通するポート開口（Ａ、Ｂ、Ｃ、１４０）と連通し、膨張弁（ＥＸＰ）からのクーラントが前記ポート開口のうちの１つ（１４０）と連通する前記プレート間流路に入ってよいように、前記１つのポート開口（１４０）は、前記膨張弁（ＥＸＰ）の下流側に接続を提供する、プレート熱交換器（１００）であって、前記１つのポート開口（１４０）の内側に設けられる熱交換手段（１６０、１６５、１５０、１５５、ＨＥＰ、ＬＣ、ＤＰ）によって特徴づけられ、前記熱交換手段（１６０、１６５、１５０、１５５、ＨＥＰ、ＬＣ、ＤＰ）は、前記膨張弁（ＥＸＰ）の下流のクーラントと、前記膨張弁（ＥＸＰ）に入ろうとしているクーラントとの間の熱交換のために配置され、
前記ポート開口（１４０）は、分配管（ＤＰ）、蓋（Ｌ）、熱交換パイプ（ＨＥＰ）、ループ構成（ＬＣ）および前記膨張弁（ＥＸＰ）を含み、前記分配管（ＤＰ）は前記蓋（Ｌ）を通って直線状に延び、前記熱交換パイプ（ＨＥＰ）は、前記分配管（ＤＰ）を１８０度回るように構成される前記ループ構成（ＬＣ）まで、前記蓋（Ｌ）を通り、前記分配管（ＤＰ）の近くをそれに沿って延び、次いで前記熱交換パイプ（ＨＥＰ）は、前記分配管（ＤＰ）の近くをそれに沿って逆方向に延び、前記蓋（Ｌ）を通過して、前記膨張弁（ＥＸＰ）に到達し、次いで前記熱交換パイプ（ＨＥＰ）は前記分配管（ＤＰ）に繋がる、プレート熱交換器（１００）。
【請求項２】
前記ポート開口（１４０）の内側の前記熱交換手段（１６０、１６５、１５０、１５５、ＨＥＰ、ＬＣ、ＤＰ）は、前記ポート開口（１４０）を通って延びるパイプ（ＨＥＰ、ＬＣ、ＤＰ）である、請求項１に記載のプレート熱交換器（１００）。
【請求項３】
前記パイプ（ＨＥＰ、ＬＣ、ＤＰ）は、前記ポート（１４０）の一端から他端まで延びる、請求項２に記載のプレート熱交換器（１００）。
【請求項４】
前記熱交換手段（１６０、１６５、１５０、１５５、ＨＥＰ、ＬＣ、ＤＰ）は、前記伝熱板（１１０）の押圧パターン（１６０、１６５、１５０、１５５）によって設けられる、請求項１または２に記載のプレート熱交換器（１００）。
【請求項５】
前記ポート開口１４０を囲む環状領域（１４５）は、高いレベルに設けられる一方、前記熱交換手段（１５０、１６０）のポートを囲む環状領域（１５５、１６５）は、それぞれ、低いレベルに設けられる、請求項４に記載のプレート熱交換器（１００）。
【請求項６】
中間領域（１７０）は、前記１つのポート開口（１４０）の周りに延びて、前記中間領域は、前記高いレベルと前記低いレベルとの間の中間のレベルに設けられる、請求項４または５に記載のプレート熱交換器（１００）。
【請求項７】
前記中間領域（１７０）は、前記高いレベルに設けられるブロック領域（１８０）によって囲まれる、請求項６に記載の熱交換器（１００）。
【請求項８】
クーラントの分布を改良するための手段（例えばＥＰ０８８４９９２７．２による分配管）をさらに含む、請求項１〜７のいずれか１項に記載の熱交換器（１００）。
【請求項９】
クーラントの分布を改良するための前記手段は、その中にクーラントを供給することが望ましいプレート合間と整列される多数の小穴を備える細長いパイプから成る分配管である、請求項８に記載の熱交換器。
【請求項１０】
前記小穴は、それらが最大の質量流量の作動条件における十分な圧力降下、および、凝縮器の温度と蒸発器の温度との間の最小の温度差、を与えるような寸法を有する、請求項９に記載の熱交換器。
【発明の詳細な説明】
【技術分野】
【０００１】
本発明は、熱交換する媒体のためのプレート間流路の形成の下で互いに間隔を置いて保たれる多数のプレートを含む蒸発器のポート開口配置に関する。ポート開口は、前記プレート間流路と選択的な連通にあり、そして、膨張弁からのクーラントがポート開口と連通しているプレート間流路に入ってよいように、膨張弁の下流側に接続を提供する。
【背景技術】
【０００２】
家庭用暖房または地域暖房のためのヒーポンは、一般に、ガス状のクーラントを圧縮する圧縮器、および、圧縮されたガス状のクーラントが例えば住宅用の暖房システムの熱媒体と熱交換する、そうするとクーラントが凝縮する、凝縮器を含む。クーラントが凝縮された後、それは膨張弁を通過する。そうすると、クーラントの圧力（そしてそれ故、沸点）は、減少する。それから、低圧のクーラントは、蒸発器に入る。そこにおいて、クーラントは、低温の熱媒体（例えば地面または外気から熱を集める塩水溶液）との熱交換の下で蒸発する。
【０００３】
上で開示されるようなヒートポンプシステムの基本機能は、非常に単純である。しかし実際には、最大の性能を達成するために、複雑化は起こる。
【０００４】
事柄を難しくする現象の１つの例は、温度差が経時的に著しく異なるということである。冬季または被加熱水道水の加熱の間、高温でクーラントを凝縮することが必要であり、そして、塩水溶液（すなわちクーラントを蒸発させるために用いるエネルギー担体）は、冷たくてもよい。その一方で、他の温度レベルが春季および秋季の間にあるかもしれない。通常、システムを異なる温度に適応させることは、膨張弁および圧縮器を制御することにより圧力差を制御することによって達成されてもよい。しかしながら、熱交換器を変化させることは、できない。そしてこれは、それらが「最悪のケース・シナリオ」のために設計されなければならないことを意味する。一般に、より大きいことは常によりよい。しかし、数ポイントで、熱交換器のコストはあまりに高い。
【０００５】
ガス状のクーラントを凝縮するための熱交換器が小さすぎることにともなう１つの主要な課題は、それが凝縮器を出るにつれて、クーラントの全てが凝縮されるわけではないということである。凝縮器を出る凝縮されなかったクーラントは、ヒートポンプ・プロセスに非常に有害である。それというのも、凝縮されないクーラントは、膨張弁を制御することを非常に難しくするからである。この課題を回避する一般的な方法は、凝縮器からの凝縮されたクーラントと、蒸発器を出る蒸発したクーラント（一般に「吸引ガス」と呼ばれる）との間で熱交換する吸引ガス熱交換器を設けることである。吸引ガス熱交換器のために使用する熱交換器は、通常、非常に小さい。必要な熱交換を達成するために、膨張弁につながるパイプを、凝縮器に吸引ガスを導くパイプにろう付けするかまたははんだ付けすることで、しばしば十分である。
【０００６】
凝縮器からの液体クーラントが全て液体でなければならない場合であっても、膨張弁の上流の圧力でそれがその沸点のはるかに下であることは、過冷却に有利かもしれない。周知のように、いくらかのクーラントは、膨張弁の直後に沸騰する。この沸騰は、液体クーラントの温度からそのエネルギーを奪う。膨張弁に入ろうとしている液体クーラントの過冷却によって、膨張弁の直後に気相へと変換する液体の量は、著しく減少してもよい。
【０００７】
膨張弁のすぐ下流でクーラントを沸騰させることのこの減少は、いくらかの非常にポジティブな効果を有する。クーラント中のガスがクーラントの量をかなり増加させて、そうすると、大径の接続管が用いられなければならないこと、そしてまた、蒸発器内のクーラントの分布がガス状の内容によって妨げられ得ることは、周知の課題である。
【０００８】
膨張弁に入る液体クーラントの過冷却のための解決策を提供することは、本発明の目的である。そうすると、分布および増加した圧力降下に関する上記の課題は、緩和されてよい。
【０００９】
ヒートポンプサイクルの安定性を増加させる熱交換を可能にするポート配置を提供することも、本発明の目的である。
【発明の概要】
【課題を解決するための手段】
【００１０】
本発明は、蒸発器のポート開口を提供することによって、このそして他の課題を解決する。ここで、熱交換手段は、ポート開口の内側に設けられる。前記熱交換手段は、膨張弁の下流のクーラントと、膨張弁に入ろうとしているクーラントとの間の熱交換のために配置される。
【００１１】
例えば、ポート開口の内側の熱交換手段は、ポート開口を通って延びるパイプでもよい。パイプは、ポートの一端から他端まで延びてもよい。
【００１２】
蒸発器の製造を容易にするために、熱交換手段は、伝熱板の押圧パターンによって設けられもよい。
【００１３】
以下に、本発明の実施形態は、添付図面を参照して記載される。
【図面の簡単な説明】
【００１４】
【図１】図１は、先行技術によるヒートポンプまたは冷却システムの概略図である。
【図２】図２は、本発明の一実施形態による熱交換器に含まれる多くの伝熱板を示す分解斜視図である。
【図３】図３は、図２に示す伝熱板の１つのより大きいスケールの斜視図である。
【図４ａ】図４ａは、本発明の一実施形態によるポート配置の平面図である。
【図４ｂ】図４ｂは、図４ａのポート配置の斜視図である。
【図４ｃ】図４ｃは、図４ａのポート配置の斜視図である。
【図５ａ】図５ａは、図４ａ〜図４ｃによるポート配置を有する熱交換器の、図５ｂの線Ａ−Ａに沿ってとられた断面図である。
【図５ｂ】図５ｂは、図５ａの熱交換器の平面図である。
【図６】図６は、本発明による複合凝縮器および蒸発器の前板を示す。
【図７】図７は、複合凝縮器および蒸発器の蒸発器側を示す。
【図８】図８は、図６および図７の線Ａ−Ａに沿った断面を示す。
【図９】図９は、本発明のさらに別の実施形態を示す。
【発明を実施するための形態】
【００１５】
図１には、本発明によるポート開口配置を有する蒸発器を利用している例示的なヒートポンプまたは冷却システムが示される。システムは、クーラントの温度および圧力が増加するようにガス状のクーラントを圧縮する圧縮器Ｃ、クーラントと高温の熱媒体（例えば家庭用暖房のための水）との間で熱交換することによってガス状のクーラントを凝縮する凝縮器ＣＮ、短絡熱交換器（ｓｈｏｒｔｃｉｒｃｕｉｔ  ｈｅａｔ  ｅｘｃｈａｎｇｅｒ）ＨＸ、を含み、凝縮器ＣＮからの液体クーラントの温度は、膨張弁ＥＸＰからの半液体クーラントと熱交換することによって減少する。膨張弁の後のクーラントは、膨張弁後の圧力減少による部分的な沸騰によって、低温を有する。最後に、半液体クーラントは、蒸発器ＥＶＡＰに入る。そこで、半液体は、低温の熱媒体（例えば地面のソースおよび／または環境空気から低温の熱を集める例えば塩水溶液）と熱交換することによって蒸発する。
【００１６】
高温熱媒体および低温熱媒体のための典型的温度は、それぞれ、５０℃および０℃である。それ故、凝縮器ＣＮを出る液体クーラントの温度は、５０℃を超える熱を有する。そして、膨張弁ＥＸＰを出るクーラントは、０℃以下の熱を有する。
【００１７】
理解され得るように、膨張弁ＥＸＰに入る液体クーラントの温度がより低いので、膨張弁を出るクーラントのガス含有量は、短絡熱交換器ＨＸのないヒートポンプサイクルよりも著しく低い。しかしながら、図１の構成において、短絡熱交換器ＨＸを出て、蒸発器ＥＶＡＰに入る半液体のガス含有量は、短絡熱交換器のないヒートポンプシステムの蒸発器に入る半液体クーラントのガス含有量と同一である。それ故、図１によるシステムは、蒸発器におけるクーラントの分布に影響を与えない。そしてそれは、本発明の目的の１つである。
【００１８】
図２に関して、本発明の一実施形態による蒸発器１００は、多くの伝熱板１１０を含む。そしてその各々は、熱交換する媒体用のプレート間流路の形成のためにプレート間に互いに間隔を維持するのに適した隆起Ｒおよび溝Ｇの押圧パターンを備える。当業者によく知られた方法で、伝熱板１１０のポート領域１２０は、ポートとプレート間流路との間の選択的な連通を提供するために異なる高さに設けられているプレート領域によって囲まれる。
【００１９】
図２の伝熱板１１０のポート領域を示す図３に関して、入口ポート領域１３０は、膨張弁ＥＸＰから直接に半液体クーラント用の入口（膨張弁と入口との間にクーラントの熱交換がないことを意味する）１４０、および、それぞれ、凝縮器ＣＮから、そして膨張弁ＥＸＰに、液体クーラントを入れて、そして出すための２つのポート１５０、１６０を含む。
【００２０】
蒸発器を形成するために、プレート１１０は、スタックに積み重ねられる。そうすると、隆起および溝は、互いに接触して、プレート間に互いに間隔を維持する。好ましい実施形態において、プレートのスタックは、プレート間に材料をろう付けするのに用いる炉内に置かれる。そうすると、プレートは、隣接するプレート間に接触点において一緒にろう付けされる。
【００２１】
再び図３に関して、ポート開口１４０を囲んでいる環状領域１４５は、（隆起Ｒのレベルに等しい）高いレベル上に設けられる一方、それぞれポート１５０、１６０を囲んでいる環状領域１５５、１６５は、（溝Ｇのレベルに等しい）低いレベル上に設けられることが示される。図示された実施形態ではポート開口１４０の周りに延びる中間領域１７０およびその周囲の環状地域は、高いレベルと低いレベルとの間の中間レベル上に位置する。最後に、中間領域１７０は、ブロック領域１８０に囲まれている。そしてそれは、隆起Ｒおよび環状領域１４５と同様に高いレベル上に設けられる。
【００２２】
さらに、開口Ａ、Ｂ、Ｃは、領域Ａ’、Ｂ’、Ｃ’によって囲まれている。そしてそれは、高い高さ、低い高さ、低い高さにそれぞれ設けられていて、プレートの隅の近くに設けられている。
【００２３】
図３に示されるプレートがスタックに配置されるときに、それは、ポート開口周辺でミラー高さを有するプレートによって、すなわち、環状領域１５５、１６５が高いレベルに配置されて、環状領域１４５が低いレベルに配置されて、領域Ａ’、Ｂ’、Ｃ’が低いレベル、高いレベル、高いレベルにそれぞれ配置されるように、隣接される。
【００２４】
したがって、以下の流路が形成される。図３に示されるプレートより上に、ポート開口ＣとＢとの間に例えば塩水溶液のための流路がある。この流路は、プレートのほとんどすべての領域を通じて延びるが、ブロック領域１８０によって中間領域１７０との連通は遮断される。さらに、中間領域１７０の上のポート開口１５０と１６０との間の連通がある。
【００２５】
図３に示されるプレートの他側には、これらの２枚のプレートによって定義されるプレート間流路を介して、ポート開口１４０とポート開口Ａとの間の連通がある。この流路は、プレート領域の至る所で延びる。そして、中間領域１７０を含む。
【００２６】
この実施形態は、凝縮器からの熱い液体クーラントをポート１６０または１５０のいずれか一方に入れることによって、凝縮器からの液体クーラントが膨張弁に入る前にその液体クーラントの過冷却を達成することを可能にして、過冷却クーラントをポート１５０または１６０の他方から出して、ポート１４０を通して膨張弁からの半液体クーラントを入れる。この配置によって、膨張弁から入って来る冷たい半液体クーラントと、凝縮器から入って来る熱い液体クーラントとの間に熱交換がある。半液体クーラントが伝熱板のスタックの高さに沿って分布された後、この熱交換が起こることに留意することは、重要である。それ故、凝縮器からの熱い液体クーラントとの熱交換から生じる増加したガス含有量は、流体の分布を妨げない。
【００２７】
中間領域１７０がポート開口１４０周辺で延びる必要がない点に留意する必要がある。本発明の一実施形態において、中間領域は、プレートの長い側およびプレートの短い側から三日月の様式で延びて、そしてそれ故、ポート開口を部分的に囲んでもよい。
【００２８】
上記の蒸発器は、半液体クーラントの分布を改良するための任意の周知の手段（例えばＥＰ０８８４９９２７．２による分配管）をさらに備えてもよい。
【００２９】
上記による蒸発器はまた、新規のヒートポンプシステムを使用することを可能にする。
【００３０】
先行技術のシステムにおいて、凝縮器と蒸発器との間の全てのまたは実質的に全ての圧力降下は、膨張弁を通じて起こる。そしてそれは、システムをさまざまな温度および所要熱量に適応させるために、通常制御されてもよい。上記したように、かなり少ないクーラントが膨張弁の直後に気化するように凝縮器からの液体クーラントを過冷却することは、可能である。しかしながら、この利点は、過冷却器ＨＸの膨張弁からの半液体クーラントの温度上昇のせいで先行技術のシステムにおいて、反作用を受ける。そしてその温度上昇は、過冷却器の後に気相クーラントをつくる。したがって、分布の利点は、先行技術の解決策によって得られない。
【００３１】
図２および図３の実施形態による蒸発器を用いるシステムにおいて、二段階の膨張を提供することによって分布をさらに改良することができる。（または、理想的な場合、膨張弁を通じた第１の制御可能な圧力減少ステップ、および分配管を通じた第２の膨張ステップ−減圧弁を通じた膨張は、部分的な蒸発から来る点に留意されたい。圧力減少後に液体の沸点よりも低い温度を有する液体は、圧力減少後に著しく膨張しない−そして、その温度降下もない。）
【００３２】
このシステムは、下で説明される。例えばＥＰ０８８４９９２７．２による分配管を想像する。そしてそれは、その中に蒸発されるべきクーラントを供給することが望ましいプレート合間と整列される多数の小穴を備える細長いパイプから成る分配管である。小穴は、それらが最大の質量流量の作動条件における十分な圧力降下、および、凝縮器の温度と蒸発器の温度との間の最小の温度差、を与えるような寸法を有する。この種の作動条件において、分配管に入るだけの液体がある。それというのも、膨張弁は完全に開き、そして（その後、液体中にいくらかのガスがある）膨張は、クーラントが分配管の長さを通じて適切に分布された後に起こるからである。
【００３３】
凝縮器と蒸発器との間の圧力降下が制御され得るシステムを有することは、もちろん望ましい。そしてこれは、分配管の上流に通常の膨張弁を置くことによって達成されることができる。そしてここで、先行技術の解決策と比較した本発明による最も重要な利点の１つは、見つけられ得る。膨張弁に入る液体と、分配管を出る液体との間の過冷却は、分配管が分配管の長さに沿ってクーラントを分布した後、起こる。それ故、気相クーラントの増加は、分布を妨げない。図１による先行技術の解決策において、凝縮器からのクーラントと、膨張弁からのクーラントとの熱交換なしであったのとちょうど同程度のガスは、分配管に供給されてある。それというのも、膨張弁からのクーラント中のガスの減少は、膨張弁から熱交換器に入るクーラント中のガスの増加によって反対に作用されるからである。
【００３４】
さらに、先行技術のシステムによって達成できない安定性の利点がある。それは、凝縮器と蒸発器との間により大きい圧力降下を有することが望ましい状況を想像する。これは、部分的な圧力降下が膨張弁を通じて起こるように膨張弁を制御することによって達成されることができる。過冷却なしで、または図１による過冷却器ＨＸの過冷却とともに、膨張弁を通じた減圧によって、分配管に入る大量のガス状のクーラントが生じる。周知のように、規制（この場合、分配管の長さに沿った穴）を通じたガスの特定の質量流量は、同じ規制を通じた液体流れの等しい質量流量よりも非常に大きい圧力降下を与える。したがって、先行技術のシステムに利用されるこの種のシステムは、制御するのが非常に困難である。
【００３５】
しかしながら、図２および図３による蒸発器と関連して使用される場合、この課題は、著しく緩和される。過冷却および、膨張弁に対する液体クーラントと、膨張弁におけるそして分配管における圧力降下後の液体との間の熱交換という事実に起因して、分配管において気相クーラントがほとんどなく、それ故、システムの制御性を増加させる。所望の圧力降下と質量流量との違いが十分に小さい場合、分配管におけるだけの液体によって常に作動するシステムを作成することさえできるかもしれない。
【００３６】
図４ａ〜図４ｃおよび図５ａ、図５ｂに示す本発明の別の実施形態において、凝縮器からの液体クーラントと、低圧そしてしたがって低温を有するクーラントとの間の熱交換は、上で開示された分配管の近くに配置される管において起こる。
【００３７】
図４ａに関して、多数の穴Ｈを有する分配管ＤＰ、接続管ＣＰ、蓋Ｌ、熱交換パイプＨＥＰ、および膨張弁ＥＸＰを含むポート開口の配置は、側面図に示される。同じ配置は、図４ｂおよび図４ｃの２つの斜視図に示される。そしてそこには、配置の設計がより明らかに示される。これらの図で分かるように、接続管は、分配管ＤＰを１８０度回るように構成されるループ構成ＬＣまで蓋Ｌを通って延びる。そうすると、分配管は、もう一度蓋Ｌを通って延びることができる。蓋を通過した後に、それは膨張弁に到達して、別の急激なＵターンをする。そこにおいて、分配管は、蓋Ｌを通って延びる。
【００３８】
使用中、図４ａ〜図４ｃによるポート開口の配置は、周知のタイプの（例えば図５ａおよび図５ｂに開示される）熱交換器に挿入される。図５ａは、図５ｂの線Ａ−Ａに沿ったプレート熱交換器の断面図であり、ポート開口１２０および伝熱板１１０を含む。
【００３９】
上記によるポート開口の配置は、改造として熱交換器に固定されてもよい。しかし、製造中に熱交換器にポート開口の配置を設けることは、好ましい。上記したように、隆起および溝の押圧パターンを備える伝熱板をスタックに配置して、ろう付け材料は、伝熱板の材料よりも低い融点を有し、スタックを炉内に配置して、ろう付け材料が溶解するような炉の温度に加熱して、そしてその後、伝熱板をクールダウンさせることによって、ろう付けされたプレート熱交換器は、製造される。クールダウン後、ろう付け材料は、凝固して、伝熱板の押圧パターンにより設けられた接触点において一緒にプレートを保つ。ポート開口の配置は、このろう付けプロセスの間、熱交換器にろう付けされることができる。しかし、例えば、熱交換器の上部プレートに蓋を溶接するかまたははんだ付けすることによって、熱交換器がろう付けされた後に、それは熱交換器に固定されることもできる。
【００４０】
理解され得るように、上記によるポート開口の配置の分配管は、先行技術のシステムの分配管よりも小直径を有する分配管（すなわち、そこでは熱交換がポート開口において提供されない）を有しなければならない。これは、分配管の入口からその端部までの圧力降下のせいで好ましくない分布に潜在的に至ることができる。しかし、この課題は、分配管に入るクーラントの量が先行技術の解決策と比較して著しくより少ない（すなわち、そこでは液体クーラントの冷却が膨張弁に入る前にない）という上述した事実によって、緩和される。
【００４１】
理解され得るように、図２に示される押圧された流路を有する熱交換器と比較して、ポート開口の配置を有する膨張弁に入る液体クーラントのより少ない熱交換、およびそれ故、より高い温度がある。しかしながら、必要なポート開口の直径を著しく増加させずに、分配管に沿って４回、６回または８回でさえ前後に熱交換パイプを導くことによって、ポート開口の配置の熱交換を増加させることができる。
【００４２】
上記によるポート開口の配置はまた、蒸発器のポート領域を通って凝縮器から膨張弁まで通じているパイプを有する複合蒸発器および凝縮器を製造することを可能にする。そうすると、熱交換は、蒸発器からのクーラントと、膨張弁を出た後のクーラントとの間に起こる。
【００４３】
図６には、本発明による複合凝縮器および蒸発器１１００の前板が示される。複合凝縮器および蒸発器１１００は、プレート間流路の形成の下で隣接するプレート間に互いに間隔を維持するのに適した隆起および溝の押圧パターンを備える多くの伝熱板から製造される。複合凝縮器および蒸発器１１００の外側からプレート間流路までの流体流れを許容するために、ポート開口は、プレートに設けられる。異なる高さ上でポート開口周辺にプレート領域を設けることによって、選択的連通を、すなわちポート開口がプレート間流路のうちのいくつかとだけ連通するように、達成することができる。各プレートの端縁部は、プレート間流路用の封止を形成するために隣接するプレートの裾部と重複するのに適している裾部を備える。一緒にプレートを保って、熱交換器流路を密封するために、プレートは、炉においてろう付けされる。すなわち、プレート材料よりも低い溶融温度を有するろう付け材料が溶融して、冷却後にプレートを接続するように、加熱される。ろう付けされたプレート熱交換器を製造するためのこの技術は、当業者によって周知であり、それ故、さらに述べられない。
【００４４】
図６に関して、複合凝縮器および蒸発器１１００の凝縮器側は、プレート間流路１２０（図３参照）の第１のセットおよび第１の熱媒体開口１１３０および第２の熱媒体開口１１４０と連通しているクーラント開口１１１０を含む。そしてその両方は、プレート間流路１１５０（図３参照）の第２のセットと連通している。使用中、第１および第２の熱媒体開口は、建物の暖房システムに好ましくは接続している。そして、クーラント開口は、圧縮器の高圧側に接続している。
【００４５】
図７に関して、複合凝縮器および蒸発器１１００の蒸発器側は、第１の塩水開口１１６０および第２の塩水開口１１７０を含む。そしてその両方は、プレート間流路の第３のセットおよびクーラント出口１１９０と連通している。そしてそれは、プレート間流路１２００の第４のセットと連通している。さらに、第１のクーラント接続１２１０および第２のクーラント接続１２２０は、示される。そしてその機能は、図７に関して後述される。使用中、第１および第２の塩水開口は、低温熱源から低温熱を集めている塩水系に接続している。クーラント出口は、圧縮器の低圧側に接続している。そして、第１および第２のクーラント出口は、膨張弁Ｒを介して互いに接続している。
【００４６】
図８は、図６および図７の線Ａ−Ａに沿った断面を示す。ここで、プレート間流路１１２０は、パイプ１２１０と連通することが明らかに示される。そしてそれは、プレート間流路１１２０から複合凝縮器および蒸発器１１００の蒸発器部分を通って膨張弁Ｒまで通じる。そしてそれは、プレート間流路１１８０および１２００を含む。少なくとも１つの「見えない」チャネル１２３０は、凝縮器部分と蒸発器部分との間に設けられてもよい。このチャネルの目的は、凝縮器部分および蒸発器部分を互いに熱的に絶縁することである。そして、ろう付けプロセス（真空下で炉においてしばしば実行される）からの真空が見えないチャネル内に保持されるように、見えないチャネルが配置される場合、絶縁特性は、改善される。
【００４７】
図８の実施形態では、伝熱板を囲んでいる裾部は、すべて同じ方向（右方）を向く。しかし、本発明の一実施形態において、裾部は、蒸発器部分のプレート用に一方向を向いて、そして凝縮器部分のプレート用に他方向を向いてもよい。
【００４８】
パイプ１２１０に関して、このパイプは、いかなる設計のものでもよい。本発明の一実施形態において、プレートの端縁部がどのようにして設けられるのかと同様に、互いに重なるように配置される裾部を有するプレート間流路１１８０、１２００を形成しているプレートにポート開口を設けることによって、パイプ１２１０は形成される。このタイプのポート開口は、欧州特許出願第０９８０４１２５．４号、同第０９７９５７４８．４および同第０９８０４２６２．５号に記載されている。
【００４９】
プレート間流路１２０間に蒸発器部分を通って膨張弁Ｒまで通常のパイプを設けることもできる。
【００５０】
システム構成がそれを過冷却にする必要のない場合に役立つ本発明のさらに別の実施形態において、上で開示された２つのパイプ構成を結合することができる。そうすると、通常のパイプは、裾部の重なりから作られるより大きなパイプの範囲内に位置する。見えないチャネル１２３０を用いる場合と同様に、重なり合う裾部から作られるパイプと通常のパイプとの間に真空が形成されるように、パイプを設計することができる。パイプ間に真空を提供することによって、（プレート間流路１１２０から膨張弁Ｒまで液体クーラントを導く）内側パイプと、（低温の半液体クーラントが存在する）蒸発器との間に、非常に良好な熱絶縁がある。
【００５１】
パイプ１２２０は、プレート間流路１２２０と連通して、蒸発されるべき低圧の半液体クーラントをこれらのチャンネルに提供する。
【００５２】
いくつかの実施形態では、それは分配管を用いてプレート間流路１２００へのクーラントの均一分布を確実にすることを要求されるかもしれない。これは、その長さに沿って小穴を備える分配管によって達成されてもよい。そうすると、穴は、プレート間流路１２００と整列される。使用可能な分配管設計の例は、欧州特許出願第０８８４９９２７．２号に開示される。別の実施形態では、分配管は、欧州特許出願第０９８０４１２５．４号、同第０９７９５７４８．４号および同第０９８０４２６２．５号を参照して上で開示されたように、裾部の重なりから作られるが、しかし、開口を備える。
【００５３】
上で、本発明は、特定の実施形態を参照して記載された。しかしながら、本発明は、それらの実施形態に制限されなくて、例えば、添付の請求の範囲によって定義される本発明の範囲を逸脱しない広い限度の範囲内で変化することができる。
【００５４】
例えば、プレート間流路のそれぞれの媒体流れのためのポート開口の配置は、変化してもよい。図によれば、すべてのポート開口は、媒体の交差流れ構成があるように配置される。しかし、これは、場合によっては必要でもないし、可能でもない。同一のプレートが複合凝縮器および蒸発器１１００の凝縮器部分および蒸発器部分のために用いられる場合、例えば、熱交換する媒体の平行流れがあることは、必要である。この種の伝熱板は、杉綾模様を必然的に備える。そして、他のすべてのプレートは、その隣接するプレートと比較してその平面において１８０度回される。
【００５５】
本発明のさらに別の実施形態は、図９、図１０ａおよび図１０ｂに示される。この実施形態は、複合蒸発器および凝縮器に関する。そして、多くの凝縮器プレート９１０を含む。その各々は、熱交換する媒体用のプレート間流路の形成の下で、プレート間に互いに間隔を維持するための隆起および溝の押圧パターンを備える。さらに、凝縮器プレートは、プレート間流路とポート開口との間の選択的連通のための４つのポート開口９２０、９３０、９４０、９５０を含む。この場合、ポート開口９２０は、凝縮されたクーラントのための出口開口であり、ポート開口９３０は、高温熱媒体のための入口であり、そして、ポート開口９４０および９５０は、ガス状クーラントのための入口および高温熱媒体のための出口である。
【００５６】
２つの分割プレート９６０は、凝縮器プレートと下で後述する蒸発器との間に設けられる。分割プレート９６０は、凝縮器プレート９２０〜９５０と類似している。しかし、凝縮されたクーラントのための小さい移送チャネル９７０を例外として、ポート開口は、それらのプレート上に存在しない。移送チャネル９７０は、円錐台形状を有する。そして、円錐台の上部領域は取り除かれる。そうすると、開口９７５は形成される。隣接するプレート上の移送チャネルは、異なる方向へ設けられる。図９で分かるように、左の移送チャネルは右側を向く一方、右の移送チャネルは左を向いている。この実施形態による複合凝縮器および蒸発器を形成しているプレートのスタックを形成するために分割プレート９６０が互いに次に配置されるときに、隣接するプレートの２つの移送チャネルは、互いに接触して、それ故、ギザギザの断面を有するパイプを形成する。
【００５７】
この実施形態による複合凝縮器および蒸発器はまた、多くの蒸発器プレート９８０を含む。蒸発器プレートは、他のポート開口と著しく異なる１つのポート開口９８５を除いて、凝縮器プレートと実際に同一である。ポート開口９８５は、ベース面９８６を含む。そしてそれは、隣接するプレート用の交互のレベル上に（低いレベル上または高いレベル上のいずれかに）配置される。開口９８７は、ベース面に設けられる。さらに、ベース面は、移送チャネル９７０を含む。そして、ベース面上の移送チャネルは、高いレベル上に設けられるベース面上で下を向き、そして、低いレベル上に設けられるベース面上で上を向く。
【００５８】
スタックに置かれるときに、隣接するプレートの移送チャネルは、中間プレート上の移送チャネルによって形成されるパイプの継続を形成する。このパイプは、蒸発器プレート９８０の全てのスタックを通って延びるのに対して、ベース面は、開口９８７と、蒸発器プレート間のプレート間流路（蒸発器プレート間のプレート間流路は、凝縮器のプレート間流路と同じ方法で形成される）との間の選択的な連通を形成する。
【００５９】
使用中、凝縮器からの液体クーラントは、積み重ねられた蒸発器プレートを通る移送パイプを通って膨張弁９９０まで流れる。そこにおいて、クーラントの圧力および温度は、減少する。低圧、低温のクーラントは、その後、開口９８７に入る。そしてそれは、言及されるように、プレート間流路と選択的な連通にある。クーラントは、例えば蒸発器の反対側に配置されている開口を通して、低温熱源からの流体と熱交換して、完全に蒸発して蒸発器を出る。蒸発器の熱交換機能は、当業者によって周知であり、それ故、より完全に記載されない。
【００６０】
前述の実施形態と同様に、開口９８７のプレート間チャネルへのクーラントの適切な分布を確実にしている分配管を設けることができる。
【００６１】
寸法および材料
複合凝縮器および蒸発器１１００は、任意のプレート数によって製造されてよい。しかし、通常、各タイプの２つ以上のプレート間流路は、設けられる。プレートの寸法は、幅５０〜２５０ｍｍおよび高さ１００〜５００ｍｍであってよい。
【００６２】
プレートのための１つの好ましい材料は、ステンレス鋼であり、そして、ろう付け材料は、銅でもよい。プレートは、０．１〜１ｍｍの厚さを有してもよい。
【００６３】
使用中の所望の圧力が高い場合、エンドプレートは、複合凝縮器および蒸発器１１００を強化するために設けられてもよい。この種のエンドプレートは、プレート間流路を制限しているプレートと類似のまたは同一の押圧パターンを備えてもよい。目的に適する開口は、エンドプレート鏡板に設けられてもよい。
【図１】
0006381554.tif 000002
【図２】
0006381554.tif 000003
【図３】
0006381554.tif 000004
【図４Ａ】
0006381554.tif 000005
【図４Ｂ】
0006381554.tif 000006
【図４Ｃ】
0006381554.tif 000007
【図５Ａ】
0006381554.tif 000008
【図５Ｂ】
0006381554.tif 000009
【図６】
0006381554.tif 000010
【図７】
0006381554.tif 000011
【図８】
0006381554.tif 000012
【図９】
0006381554.tif 000013